(57)【要約】【課題】安価に大量生産するに適した緑化用資材を提供する。【解決手段】本発明は、２枚のシート２ａ・２ｂの間に多数の苔植物配偶体３を介装してなる緑化用資材であって、両シート２ａ・２ｂの対向面どうしを部分的に熱溶着することにより、両シート２ａ・２ｂが不離一体的に接合されていることを特徴とする。具体的には、碁盤の目状に熱溶着を施すことにより、両シート２ａ・２ｂを不離一体的に接合した。この熱溶着部４により区画された多数個独立状の空隙５内に、苔植物配偶体３が遊動不能に保持されている。【選択図】図１
2006246713.tif 000002
【特許請求の範囲】
【請求項１】
２枚のシートの間に多数の苔植物配偶体を介装してなる緑化用資材であって、
両シートの対向面どうしを部分的に熱溶着することにより、両シートが不離一体的に接合されていることを特徴とする緑化用資材。
【請求項２】
碁盤の目状に熱溶着を施すことにより、両シートが不離一体的に接合されており、
この熱溶着部により区画された多数個独立状の空隙内に、前記苔植物配偶体が遊動不能に保持されている請求項１記載の緑化用資材。
【請求項３】
多数個独立状にスポット溶着を施すことにより、両シートが不離一体的に接合されている請求項１記載の緑化用資材。
【請求項４】
両シートの少なくともいずれか一方が、熱溶融性を有する化学繊維からなる不織布である請求項１ないし３のいずれかに記載の緑化用資材。
【請求項５】
両シートの少なくともいずれか一方が、緑系色に着色されている請求項１ないし４のいずれかに記載の緑化用資材。
【発明の詳細な説明】
【技術分野】
【０００１】
本発明は、建造物の屋上、壁面、法面等の緑化に使用される緑化用資材に関する。
【背景技術】
【０００２】
夏場において、とりわけ大都市においては、都心の温度が郊外に比べ４〜６℃も高くなる、いわゆるヒートアイランド現象が問題となっている。このため例えば東京都においては、建造物の占める面積に対し、一定の割合で緑化を義務付ける条例が施行されている行政区もある。
【０００３】
建造物において緑化可能な部位は屋上や壁面に限られ、これらの箇所に各種の植物が植設された緑化用資材が設置される。既存の緑化用資材の多くは、樹木、芝生、あるいはセダム等の多肉植物を緑化要素とする。しかし、これらの植物の生育には土壌が不可欠であるため、緑化用資材自身の重量が大きくなることが避けられず、設置可能な建造物は堅固な構造を備えたものに限定される。既設の建造物に対して上記の緑化用資材を用いる場合には、補強工事が必要となる場合もある。頻繁な水やりや、スプリンクラーなどの高価な灌水装置が不可欠である点でも不利がある。
【０００４】
以上のような従来の緑化用資材が抱える問題を解決するものとして、スギゴケなどの苔植物を緑化要素とするものがある。この種の苔植物は、その生育に土壌や肥料を必要とせず、緑化用資材の軽量化が容易である点、乾燥に極めて強く灌水設備が不要である点、剪定や芝刈りなどが一切不要で管理コストが安価に済むなどの点で、先に挙げた樹木や芝生等よりも格段に優れている。光合成の効率も樹木や芝生と大差なく、炭酸ガスの固定化にも高いレベルで貢献できる。
【０００５】
苔植物を緑化要素とする緑化用資材の先行出願としては、例えば特許文献１ないし３などを挙げることができる。特許文献１では、紙上に苔植物の群落体を縫製により固定している。特許文献２に係る緑化資材では、パイル糸を縦横に編んだ基材シートの下面に、苔植物の群落体が組み込まれた保持シートを固定している。そこでの保持シートは、不織布製の二枚のシートの間に苔植物の群落体を介装してなるものであり、これら基材シートと保持シートとは、ニードルを何度も突き刺して、両シートを構成する繊維を互いに絡み合わせることにより一体的に接合されている。なお、保持シートを構成する不織布製のシートどうしは、それらのみでは一体化されておらず、先の基材シートと保持シートとの接合作業において接合されている。特許文献３では、２枚のシートの間に苔植物を介装することにより、緑化用資材を作製している。これらシートのいずれか一方は、水溶性物質と非水溶性繊維が混合されたシートであり、水をかけて水溶性物質を溶かすことにより、両シートは接合されている。
【０００６】
【特許文献１】特開平７−２２７１４２号公報
【特許文献２】特開２００２−１５３１２０号公報（図１）
【特許文献３】特開２００４−２２２６６２号公報（図１）
【発明の開示】
【発明が解決しようとする課題】
【０００７】
特許文献１に係る緑化用資材では、縫製だけで苔植物を抜け外れなく確りと固定することは極めて困難で、苔植物が不用意に脱落するおそれがあるため、建造物の壁面や法面などにこれを設置することが躊躇される。基材となる紙に対して苔植物を縫製する工程に時間に掛かり、大量生産に適せず、安価に緑化用資材を提供できない点にも不利がある。特許文献２に係る緑化用資材では、保持シートを作製したのち、該保持シートと基材シートに対してニードルを何度も突き刺すことにより、両者を一体化しているため、製造に手間が掛かり、大量生産に向かず、緑化用資材を安価に提供できない。特許文献３に係る緑化用資材では、水溶性物質と非水溶性繊維とが混合された特殊シートを基材とするため、該シートを作製するための大掛かりな設備が必要で製造コストが多大となる。
【０００８】
苔植物を緑化要素とする緑化用資材が注目を集めているにもかかわらず、その普及が進まないのは、従来の緑化用資材が極めて高価であることが大きな要因の一つであると考える。具体例を挙げると、従来の緑化用資材の価格は2.５万円〜３万円／ｍ2 程度と、大変高価なものとなっていた。
【０００９】
本発明の上記のような問題を解決するためになされたものであり、従来の緑化用資材に比べて安価に大量生産するに適した緑化用資材を提供することを目的とする。
【課題を解決するための手段】
【００１０】
本発明は、図１ないし図５に示すごとく、２枚のシート２ａ・２ｂの間に多数の苔植物配偶体３を介装してなる緑化用資材であって、両シート２ａ・２ｂの対向面どうしを部分的に熱溶着することにより、両シート２ａ・２ｂが不離一体的に接合されていることを特徴とする。
【００１１】
苔植物配偶体３の具体例としては、蘚類に属する苔植物配偶体を挙げることができ、特にスナゴケが最適である。尤も、本発明に係る苔植物配偶体３はスナゴケに限られず、それ以外であってもよい。この苔植物配偶体３は、図１に示すように個々の苔植物配偶体３に分解した状態でシート２ａ・２ｂ内に介装することができる。苔植物配偶体３の群落体の状態でシート２ａ・２ｂ内に介装してもよい。
【００１２】
具体的には、図１および図２に示すごとく、碁盤の目状に熱溶着を施すことにより、両シート２ａ・２ｂが不離一体的に接合されており、この熱溶着部４により区画された多数個独立状の空隙５内に、前記苔植物配偶体３が遊動不能に保持されている形態を採ることができる。ここでいう「碁盤の目状」とは、多角形の格子の目状に熱溶着部４が形成された形態を意味する。つまり、図示例のように正方四角の格子の目状に熱溶着部４が形成された形態に限られず、長方四角や菱形四角の格子の目状を含む概念である。更に言うと、三角形が多数個並んだ格子の目状に熱溶着部４が形成されていてもよい。なお、各空隙５内に配される苔植物配偶体３の量（本数など）は、空隙５の大きさに応じて適宜に変更できるものであることは言うまでもない。
【００１３】
また、図４に示すごとく、多数個独立状にスポット溶着を施すことにより、両シート２ａ・２ｂが不離一体的に接合されている形態を採ることができる。図４において、符号１５は、スポット溶着が施された箇所を示している。
【００１４】
両シート２ａ・２ｂの少なくともいずれか一方が、熱溶融性を有する化学繊維からなる不織布とすることが好ましい。かかる化学繊維の具体例としては、ポリエチレン繊維、ポリアシド繊維、ポリエステル繊維などを挙げることができる。不織布は、乾式や湿式など各種公知の方法により作製されたものを用いることができる。
【００１５】
両シート２ａ・２ｂの少なくともいずれか一方が、黄緑色や緑色などの緑系色に着色されていることが好ましい。実質的には、壁面等に設置した際に表面側に存するシート２ａが、緑系色に着色されていれば足りる。
【発明の効果】
【００１６】
苔植物配偶体３は、その生育に土壌を必要とせず、したがって、樹木、芝生、セダム等に比べて緑化用資材の軽量化を図ることができる。このため、緑化用資材１の適用箇所は、堅固な構造を備えた建造物に限られない。既設の建造物に対しても補強工事等を行うことなく緑化用資材１を設置できる点でも優れている。頻繁な水やりや、スプリンクラーなどの灌水装置が一切不要である点でも優れている。
【００１７】
また、この緑化用資材１は、屋上面や壁面等に接着剤層を塗布形成してから、該接着剤層上に適当な大きさにカットされた緑化用資材１を展開・載置するだけで、簡単に緑化用資材１を設置できる。適当な大きさにカットされた緑化用資材１を、樹脂製のユニットトレイ等に貼り付けたうえで、該ユニットトレイを建造物の屋上面等に設置してもよい。シート２ｂの裏面にフェルトやスポンジなどの保水材を貼り付けたうえで、緑化用資材１を屋上等に設置してもよい。この緑化用資材１は、可撓性を有する２枚のシート２ａ・２ｂを基体とするものであり、ロール形態で生産できるため、生産効率の格段の工場を図って、製造コストの低減化に貢献できる点でも優れている。
【００１８】
そのうえで、本発明に係る緑化用資材１においては、熱溶着により不離一体的に接合された両シート２ａ・２ｂの間に、苔植物配偶体３を保持させているため、縫製により苔植物配偶体３を固定する従来形態に比べて、苔植物配偶体３の両シート２ａ・２ｂからの脱落のおそれは少ない。したがって、建造物の屋上だけでなく壁面等に対しても、支障なく緑化用資材１を適用できる。また、両シート２ａ・２ｂを熱溶着により接合するようにしてあるので、エンボスロール等を使って両シート２ａ・２ｂに対して熱溶着加工を施すだけで、両者２ａ・２ｂを不離一体的に接合できる。したがって、縫製作業やニードルを何度も突き刺すなどの固定作業が必要であった従来形態の緑化用資材に比べて、作業効率良く緑化用資材１を製造できる。何よりも、この緑化用資材１は大量生産に適しており、安価に提供できる点で優れている。
【００１９】
特に図１および図２に示すごとく、碁盤の目状に形成された熱溶着部４によって、両シート２ａ・２ｂが不離一体的に接合されていると、かかる碁盤の目状に形成された熱溶着部４に沿って緑化用資材１をカットすれば、両シート２ａ・２ｂの接合状態を維持したまま、しかも苔植物配偶体３の脱落のおそれなく、自在の形状を簡単容易に得ることができて実用利便性に優れている。この熱溶着部４により区画された多数個独立状の空隙５内に、前記苔植物配偶体３が遊動不能に保持されているため、シート２ａ・２ｂで苔植物配偶体３が不用意に動くことがなく、該苔植物配偶体３の生育にムラができ難い点でも優れている。
【００２０】
両シート２ａ・２ｂの少なくともいずれか一方を不織布としてあると、該不織布の有する保水性により、長期にわたって降雨が無いときでも苔植物配偶体３に水分を供給して、その生育を促すことができる。
【００２１】
両シート２ａ・２ｂの少なくともを緑色あるいは黄緑色などの緑系色に着色してあると、図１に示すように、初期状態においてシート２ａが表面に現出することに伴う見た目の印象の悪さを最小限に抑えることができる。これにて、シート２ａの上面の全体が苔植物配偶体３の群落体で覆われるまで、数年間もの長期にわたって苔植物配偶体３を生育させる必要がなくなり、図１に示すような初期状態で市場に出すことができる。したがって、ビニールハウスなどの生育設備は一切不要となり、製造コストの上昇を抑えて安価に緑化用資材１を提供できる。
【発明を実施するための最良の形態】
【００２２】
（第１実施形態）
図１ないし図３に本発明に係る緑化用資材の第１実施形態を示す。図１および図２において、この緑化用資材１は、上下２枚のシート２ａ・２ｂの間に、多数個の苔植物配偶体３を介装してなる。これらシート２ａ・２ｂは通気性を有するシート、具体的にはポリエチレン繊維からなる不織布シートであり、ここでは予め緑色あるいは黄緑色などの緑系色に着色された不織布シートを用いた。なお、図２においては、符号３は、苔植物配偶体が配設される箇所を概念的に示している。
【００２３】
２枚のシート２ａ・２ｂは、両シート２ａ・２ｂの対向面どうしを碁盤の目状に熱溶着することにより、不離一体的に接合してなる。ここでは、縦横方向に３cm間隔で加熱溶着処理を施して、碁盤の目状に熱溶着部４を形成した。かかる熱溶着部４によって、両シート２ａ・２ｂの対向隙間内には、多数個独立状に平面視で正方形状の空隙５が形成され、この空隙５内に苔植物配偶体３が遊動不能の保持させた。なお、図示例は、熱溶着部４の形状や苔植物配偶体３の配設箇所や個数などの一例を挙げたものであり、本発明は図２に示す形態に限られるものでない。
【００２４】
苔植物配偶体３は、スナゴケの苔植物配偶体であり、人工的に栽培された大きな群落体をほぐして、多数個の苔植物配偶体配偶体３に分解した状態で、両シート２ａ・２ｂの間に介装されている。なお、かかるスナゴケをより詳しく言うと、蘚類、マゴケ亜網、キボウシゴケ目、キボウシゴケ科、シモフリゴケ属に属するスナゴケである。
【００２５】
かかる緑化用資材１を建造物の屋上面や壁面等に設置しておくと、上方側のシート２ａの上面に苔植物が生えて、数年後には、該シート２ａの上面の全体が苔植物で覆われた状態となる。
【００２６】
図３に、緑化用資材１の製造方法を示す。まず、ロール巻きされたシート２ｂの原反生地７から該シート２ｂを引き出し、その上面に苔植物配偶体３を分散状に載置した。次ぎに、ロール巻きされたシート２ａの原反生地８から該シート２ａを引き出し、これをシート２ｂの上に重ね合わせたうえで、両シート２ａ・２ｂに対して熱溶着加工を施することにより、両シート２ａ・２ｂを接合した。ここでは、下方側に存する平ロール１０と、上方側に存するエンボスロールとの間に、両シート２ａ・２ｂを重ね合わせた状態で送り込むことによりこれらを熱溶着させた。具体的には、エンボスロールの表面１１には、碁盤の目状に凸部１２が形成されており、該凸部１２で加熱溶融されたシート２ａの化学繊維（ポリエチレン繊維）をシート２ｂの上面に結着させることにより、碁盤の目状の熱溶着部４を形成し、これにて両シート２ａ・２ｂが不離一体的に接合された緑化用資材１を得た。最後に、かかるシート状の緑化用資材１をロール巻きしてロール体１３とした。なお、平ロール１０の表面は、フラット面である。
【００２７】
以上のような緑化用資材１は、ロール体１３の形態で保管されるので、積層状態で保管される形態に比べて、その保管スペースを小さくできるのはもちろんのこと、その後の移送等の作業を少ない手間で能率良く行え、その取扱いを簡便化できる。しかも、建造物の屋上面や壁面等への設置を行う場合には、適当な大きさにカットしてから、これを接着剤等を用いて固定すればよく、設置作業も能率的に行える。このとき、碁盤の目状に形成された熱溶着部４に沿って緑化用資材１をカットすれば、両シート２ａ・２ｂの接合状態を維持したまま、しかも苔植物配偶体３の脱落のおそれなく、自在の形状を簡単容易に得ることができて実用利便性に優れている。
【００２８】
熱溶着により不離一体的に接合された両シート２ａ・２ｂの間に、苔植物配偶体３を保持させているため、縫製により苔植物配偶体３を固定する従来形態に比べて、苔植物配偶体３の両シート２ａ・２ｂからの脱落のおそれは少ない。したがって、建造物の屋上だけでなく壁面等に対しても、支障なく緑化用資材１を適用できる。両シート２ａ・２ｂを不織布シートとしてあると、該不織布の有する保水性により長期にわたって降雨が無いときでも苔植物配偶体３に水分を供給して、その生育を促すことができる。
【００２９】
両シート２ａ・２ｂを熱溶着により接合するようにしてあると、エンボスロール等を使って両シート２ａ・２ｂに対して熱溶着加工を施すだけで、両者２ａ・２ｂを不離一体的に接合できる。したがって、縫製作業やニードルを何度も突き刺すなどの固定作業が必要であった従来形態の緑化用資材に比べて、作業効率良く緑化用資材１を製造できる。何よりも、この製造方法は大量生産に適しており、安価に緑化用資材１を提供できる点で優れている。
【００３０】
この緑化用資材１は、図１に示すような状態で市場に出されるが、かかる初期状態においてはシート２ａが表面に露出している。このため、この状態で建造物の壁面等に緑化用資材１を設置すると、シート２ａの色が異常に目立って、通行人等に違和感を与えることが避けられず、見た目の印象が非常に悪い。かかる不具合を解消するため、本実施形態では、両シート２ａ・２ｂを緑色あるいは黄緑色などの緑系色に着色して、図１のような初期状態においてシート２ａが表面に露出することに伴う見た目の印象の悪さを最小限に抑えることができるようにした。尤も、数年後には、シート２ａの表面の全体が苔植物配偶体で覆われて、シート２ａは表面には露出しなくなるため、上記のような問題は最終的には解消される。換言すれば、このように、少なくともシート２ａを緑色あるいは黄緑色に着色してあると、シート２ａが表面に露出することに伴う初期状態における見た目の印象の悪さを最小限に抑えることができる。これにて、図１に示すような形態で市場に出荷することが可能となり、シート２ａの表面の全体が苔植物配偶体３で覆われるまで数年間もの長期にわたって苔植物配偶体３を生育させる必要がなくなるため、ビニールハウスなどの生育設備は不要となり、緑化用資材１の製造コストの低減化に大いに貢献できる。
【００３１】
（第２実施形態）
図４および図５は、本発明に係る緑化用資材の第２実施形態を示しており、そこでは、先の碁盤の目状の熱溶着部４に替えて、両シート２ａ・２ｂに対して多数個独立状にスポット溶着を施すことにより、両シート２ａ・２ｂを不離一体的に接合してある点が先の第１実施形態と相違する。これらシート２ａ・２ｂは、先の第１実施形態と同様である。すなわち、これらシート２ａ・２ｂは、通気性を有するシート、具体的にはポリエチレン繊維からなる不織布シートであり、ここでは予め緑色あるいは黄緑色などの緑系色に着色された不織布シートを用いた。なお、図４および図５においては、符号３は、苔植物配偶体が配設される箇所を概念的に示している。
【００３２】
図４において、符号１５は、シート２ａ・２ｂの中央部に形成されたスポット溶着部を、符号１６ａ・１６ｂは各々の緑化用資材１の四周縁を囲むように形成された外縁溶着部を示す。この緑化用資材１は、図４および図５に示すように、長い一枚物のシート状の形態で作製されたのち、幅方向に走る外縁溶着部１６ａでカットされることにより四角形状のシート体とされて、建造物の屋上や壁面等に固定設置される。尤も、カットすることなく、建造物の屋上等に固定設置することもできる。なお、スポット溶着部１５や苔植物配偶体３の配設箇所や個数などは、図４や図５に示す形態に限られない。
【００３３】
図５に、この緑化用資材１の製造方法を示す。まず、ロール巻きされたシート２ｂの原反生地７から該シート２ｂを引き出し、その上面に苔植物配偶体３を分散状に載置した。次いで、ロール巻きされたシート２ａの原反生地８から該シート２ａを引き出し、これをシート２ｂの上に重ね合わせた。次いで、上下一対のローラ２０・２１を用いて両シート２ａ・２ｂの幅方向の両端部に対して、加熱溶着処理を施して、外縁溶着部１６ｂを形成した。上方側のローラ２０は、その長さ方向の両端部に、表面から張り出し状に形成された一対のフランジ２２を備えるものであり、シート２ａに対して加熱状態にあるフランジ２２を押し当てることにより、シート２ａの幅方向の両端部に係る繊維を溶かして、シート２ｂに結着させて、外縁溶着部１６ｂを形成した。
【００３４】
次に、上下一対のローラ２３・２５を用いて外縁溶着部１６ａを形成した。上方側のローラ２３には、長さ方向に走るように一本の凸部２６が張り出し形成されており、シート２ａに対して加熱状態にある凸部２６を押し付けることにより、シート２ａの長さ方向の等間隔位置に外縁溶着部１６ａを形成した。次に、上下一対のローラ２７・２９を用いてスポット溶着部１５を形成した。上方側のローラ２７の表面には、多数個の凸部３０が突設されており、シート２ａに対して加熱状態にある凸部３０を押し付けることにより、シート２ａの中央部に多数個のスポット溶着部１５を形成して、両シート２ａ・２ｂを接合した。これにて、図４に示すように、スポット溶着部１５および外縁溶着部１６ａ・１６ｂにより両シート２ａ・２ｂが不離一体的に接合されるとともに、両シート２ａ・２ｂのスポット溶着部１５の無い対向間隙内に多数個の苔植物配偶体３が介装された緑化用資材１を得た。最後にかかるシート状の緑化用資材１をロール巻きして、ロール体１３とした。なお、下方側に存するローラ２１・２５・２９は、フラット面な表面を有する平ローラでである
【図面の簡単な説明】
【００３５】
【図１】本発明の第１実施形態に係る緑化用資材の縦断側面図である。
【図２】本発明の第１実施形態に係る緑化用資材の平面図である。
【図３】本発明の第１実施形態に係る緑化用資材の製造方法を説明するための図である。
【図４】本発明の第２実施形態に係る緑化用資材の縦断側面図である。
【図５】本発明の第２実施形態に係る緑化用資材の製造方法を説明するための図である。
【符号の説明】
【００３６】
１  緑化用資材
２ａ  シート
２ｂ  シート
４  熱溶着部
５  空隙
１５  スポット溶着部
【図１】
2006246713.tif 000003
【図２】
2006246713.tif 000004
【図３】
2006246713.tif 000005
【図４】
2006246713.tif 000006
【図５】
2006246713.tif 000007